(57)【要約】【課題】腹筋運動をする際に身体の背筋部を支えると共に位置ずれを防止し、さらに塩化ビニール製の高い反発力を利用して屈伸動作を助長する腹筋運動補助具の提供を図る。【解決手段】本発明の腹筋運動補助具１０は、床面に敷設される所定の大きさを有する矩形の敷設マット２０と、腹筋運動を助長する反発力を有する円柱状の背当てマット２２と、該背当てマット２２が収納される伸縮性を有する背当て収納バッグ２１と、で構成され、敷設マット２０と背当て収納バッグ２１とが、連結手段２８を介して着脱自在に連結されている手段を採る。【選択図】図1
2017038659.tif 000002
【特許請求の範囲】
【請求項１】
床面に敷設される所定の大きさを有する敷設マットと、円筒状に成形されて反発力を有する背当てマットを、連結手段を介して着脱自在に設けたことを特徴とする腹筋運動補助具。
【請求項２】
床面に敷設される所定の大きさを有する敷設マットと、円筒状に成形されて反発力を有する背当てマットを収納する伸縮性を有する収納背当てバッグを、連結手段を介して着脱自在に設けたことを特徴とする腹筋運動補助具。
【請求項３】
円筒状に成形されて反発力を有する背当てマットまたは該背当てマットを収納する伸縮性を有する収納背当てバッグと、所定の長さを有する締め付け帯を、連結手段を介して着脱自在に設けたことを特徴とする腹筋運動補助具。
【請求項４】
床面に敷設される所定の大きさを有する敷設マットの一端を丸め込み、該敷設マットの上面と下面の所定の位置に設けられる連結補助片を有する係止手段同士を係止することで、敷設マットの一側方向に背当てマット部が形成されることを特徴とする腹筋運動補助具。
【発明の詳細な説明】
【技術分野】
【０００１】
本発明は、腹筋運動をする際に身体の背筋部を支えて屈伸動作を容易にする腹筋運動補助具に関する。
【背景技術】
【０００２】
従来より、美容や健康を目的とする健康・ストレッチ器具や、背面に反発機能を有して運動能力や筋肉強化を目的とする筋力強化器具など多様な腹筋運動補助具が提案されている。
【０００３】
上記における腹筋運動補助具の提案としては、例えば、人体の腰部屈伸に対応して湾曲するように形成されたクッション本体と、クッション本体に内設されて往復運動を通じて震動形態で人体を按摩するように構成された按摩手段が設けられ、クッション本体後方下部一側に板形状で延長形成され、クッション本体前方下部一面に折帖可能になるように具備された折帖マットと、折帖マットがクッション本体下部面に折帖され固定されるようにクッション本体前方下部一面と前記折帖マットの底面一側に設けられた結合手段を含む「多用途クッション按摩器」（特許文献１参照）が提案され、公知技術となっている。
【０００４】
しかしながら、係る「多用途クッション按摩器」の提案は、按摩器内に振動モータやローラなどの電気構成部品や複雑なリンク構造部品が多数内蔵されていることによって、消費電力ならびに維持管理費を日常的に必要とすると供に、重量的に比較的重いことから持ち運びに不便であることや、複雑構造であることから収納が不便であったり、購入単価が高騰であるなどといった多くの問題点があるものであった。
【０００５】
また、ゴムスポンジ又はプラスチックススポンジ製の略直方体の基材において、上面の一辺を面取りして傾斜部を形成し、且つ、該傾斜部の面取りした辺と平行に溝部を設けて座布団と成し、前記溝部に坐骨を載せ、且つ、前記傾斜部に大腿部を載せて坐骨を前傾せしめ、上体の前屈ストレッチ運動等においてストレッチ効果を高めたり、前記傾斜部上り方向に人体を向かせて腹部或いは大腿部を前記傾斜部に載せ、脚部を第三者に押さえてもらいながら上体起し腹筋・背筋部運動をしたり、前記傾斜部上り方向に人体を向かせて側腰部或いは側大腿部を前記傾斜部に載せ、脚部を第三者に押さえてもらいながら上体起し腹筋運動をしたり、前記傾斜部の上り方向に向かって前記傾斜部に腰部掛け、脚部を第三者に押さえてもらいながら上体起し腹筋・背筋部運動をしたり、前記傾斜部上り方向に人体を向いて前記傾斜部に膝をつかせ、脚部を第三者に押さえてもらいながら上体起し腹筋・背筋部運動をしたり、前記傾斜部の上り方向或いは下り方向に向かって立ち、スクワット運動したりすることにより、人体各部の筋力を強化でき、且つ、前記傾斜部の前記溝に坐骨を載せて、テレビ鑑賞などで、胡座姿勢における腰部痛を防止できることを特徴とする「多目的座布団」（特許文献２参照）が提案され、公知技術となっている。
【０００６】
しかしながら、係る「多目的座布団」の提案は、ゴムスポンジ又はプラスチックススポンジ製の略直方体の比較的低反発の基材を使用していることによって、腹筋運動時においては自力で上半身を屈伸させなければならないことから、女性や体力のない人にとっては、腹筋運動時の身体の背筋部への負荷が大きくなると供に、機材が略直方体を形成していることによって、収納ならびに持ち運びが容易ではなかった。
【０００７】
また、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐に多数の球状の指圧具を取り付け、紐の両端は連結部材を使用して着脱可能とした補助器具とから成り、紐の両端は連結部材で環状に連結して芯材の孔内に位置させるとともに指圧具は器具本体の外側に位置させたことを特徴とする「健康器具」（特許文献３参照）が提案され、公知技術となっている。
【０００８】
しかしながら、係る「健康器具」の提案は、器具本体が硬質性で形成されていることによって、腹筋運動時においては自力で上半身を屈伸させなければならないことから、女性や体力のない人にとっては、腹筋運動時の身体の背筋部への負荷が大きくなるといった問題点があるものであった。
【０００９】
本出願人は、上記における従来の腹筋運動補助具の問題点を解決するために、身体の背筋部を支える背当てマットに着目し、その背当てマットに高反発の復元機能を加えることで、女性や体力のない人の腹筋運動を容易に行うことができないものかとの着想の下、腹筋運動をする際に身体の背筋部を支えて屈伸動作を容易にする腹筋運動補助具を開発し、本発明における「腹筋運動補助具」の提案に至るものである。
【先行技術文献】
【特許文献】
【００１０】
【特許文献１】実用新案登録第３１６０２１７号公報
【特許文献２】特開２００９−１９５６７５号公報
【特許文献３】特許第４３２８９８３号公報
【発明の概要】
【発明が解決しようとする課題】
【００１１】
本発明は、上記問題点に鑑み、腹筋運動をする際に身体の背筋部を支えて屈伸動作を容易にする腹筋運動補助具の提供を図ることを目的とする。
【課題を解決するための手段】
【００１２】
本発明は、上記課題を解決するためになされたもので、本発明の腹筋運動補助具は、床面に敷設される所定の大きさを有する敷設マットと、円筒状に成形されて反発力を有する背当てマットを、連結手段を介して着脱自在に設けた手段を採る。
【００１３】
また本発明の腹筋運動補助具は、床面に敷設される所定の大きさを有する敷設マットと、円筒状に成形されて反発力を有する背当てマットを収納する伸縮性を有する収納背当てバッグを、連結手段を介して着脱自在に設けた手段を採る。
【００１４】
また本発明の腹筋運動補助具は、円筒状に成形されて反発力を有する背当てマットまたは該背当てマットを収納する伸縮性を有する収納背当てバッグと、所定の長さを有する締め付け帯を、連結手段を介して着脱自在に設けた手段を採る。
【００１５】
また本発明の腹筋運動補助具は、床面に敷設される所定の大きさを有する敷設マットの一端を丸め込み、該敷設マットの上面と下面の所定の位置に設けられる連結補助片を有する係止手段同士を係止することで、敷設マットの一側方向に背当てマット部が形成される手段を採る。
【発明の効果】
【００１６】
本発明の腹筋運動補助具によれば、腹筋運動補助具を構成する部品が敷設マットならびに背当てマットによって軽量且つ安価な部品で構成されているため、持ち運びや収納を容易とすると共に、購入単価が廉価であるといった優れた効果を奏する。
【００１７】
また、本発明の腹筋運動補助具によれば、上半身の支えとなる背当てマットが、高い反発力を有するバランスボール仕様の塩化ビニールマット、または一定の反発力を有する合成樹脂板を円筒状に成形した円筒板マットで構成されることによって、女性や体力のない人にとって高い反発力を利用して容易に腹筋運動ができるといった優れた効果を奏する。
【００１８】
また、本発明の腹筋運動補助具によれば、上半身の支えとなる背当てマットを収納背当てバッグに収納することができることによって、背当てマットの製造段階での複雑な付帯加工を加えることなく製造することができるといった優れた効果を奏する。
【００１９】
また、本発明の腹筋運動補助具によれば、収納背当てバッグの両端には上半身を襷掛けならびに胴巻きを同時に可能とした所定の長さを有する締め付け帯が連結されていることによって、腹筋運動をする際に、屈伸角度を浅くしたい場合は、締め付け帯を胴周りに固定し、屈伸角度を深くしたい場合は、締め付け帯を背中周りに固定して好みの屈伸角度に合わせて背当てマットの固定位置を自在に調整することができるといった優れた効果を奏する。
【００２０】
また、本発明の腹筋運動補助具によれば、敷設マットと背当てマットならびに締め付け帯を溶着、接着、縫着、鋲着、ボタン掛けなどの何れかの連結手段を介して連結することによって、製造段階における加工工程を単純化させて製造原価のコストダウンが図れるといった優れた効果を奏する。
【００２１】
また、本発明の腹筋運動補助具によれば、一枚の敷設マットを丸め込むことにより、その一側方向に背当てマット部が形成されることによって、持ち運びならびに準備作業が容易になると共に、製造コストの低廉が図られるといった優れた効果を奏する。
【図面の簡単な説明】
【００２２】
【図１】本発明における請求項１記載の腹筋運動補助具の実施形態を示す説明図である。（実施例１）
【図２】本発明における請求項２記載の腹筋運動補助具の実施形態を示す説明図である。（実施例２）
【図３】本発明における請求項３記載の腹筋運動補助具の実施形態を示す説明図である。（実施例３）
【図４】本発明における請求項４記載の腹筋運動補助具の実施形態を示す説明図である。（実施例４）
【発明を実施するための形態】
【００２３】
本発明は、腹筋運動をする際に身体の背筋部を支えて屈伸動作を容易にする腹筋運動補助具１０であって、該腹筋運動補助具１０は、床面に敷設される所定の大きさを有する敷設マット２０と、円筒状に成形されて反発力を有する背当てマット２２を、連結手段２８を介して着脱自在に設けた手段を採ったことを最大の特徴とするもので、以下、実施例を図面に基づいて説明する。
【００２４】
尚、本発明の腹筋運動補助具１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２５】
図１は、本発明における請求項１記載の腹筋運動補助具の実施形態を示す説明図である。
図１（a）は腹筋運動補助具１０の全体図を示す。
本発明の腹筋運動補助具１０は、床面に敷設される所定の大きさを有する敷設マット２０と、円筒状に成形されて反発力を有する背当てマット２２を、連結手段２８を介して着脱自在に連結して形成される。
【００２６】
敷設マット２０は、所定の大きさを有する合成樹脂製または布製の敷マットをシート状またはカーペット状にして使用するもので、円筒状に成形される背当てマット２２に連結手段２８を介して使用者の尻部に敷かれることで、腹筋運動時において腹筋運動補助具１０が身体からズレることを防止する役割を果たす。
【００２７】
背当てマット２２は、高い反発力を有する所謂バランスボール仕様の塩化ビニールマット２２a、または一定の反発力を有する合成樹脂板を円筒状に成形した円筒板マット２２b、または反発力を有しない部材で形成される充填マット２２cなどで構成され、使用する人の背筋部または腰部に当接されて使用されると供に、使用者の腹筋鍛錬度に合わせて背当てマット２２の種類を任意に選択して使用することができる。
【００２８】
塩化ビニールマット２２aは、一般に市販されている高い反発力を有する塩化ビニール製のエアマットで、所謂円筒状のバランスボール仕様で製造されているもので、女性や体力のない人でもその高い反発力を利用して容易に腹筋運動ができる。
【００２９】
円筒板マット２２bは、一定の反発力を有する合成樹脂板を円筒状に成形加工して形成されるもので、素材が持つ反発力を利用して女性や体力のない人でも容易に腹筋運動ができる。さらに、スリットや連通穴などを設けて反発力を増す形状に加工することもできる。
【００３０】
充填マット２２cは、反発力を有しない円筒状のマットで、綿、布、緩衝素材、発砲樹脂、空気バッグなどの軽量・中空部材で形成される。前述の高反発のバランスボール仕様の塩化ビニールマット２２aに対して反発力を有しない低反発の部材を使用していることによって、腹筋運動時は背筋部に対する負荷は増大するが、その分、背筋部をより強固に鍛えることができる。
【００３１】
連結手段２８は、ボタン、フック、面ファスナー、紐、バンド、クリップ等の係止具と、連結される素材と同じ素材で形成される連結補助片２８aと、で構成され、該連結補助片２８aを敷設マット２０ならびに背当てマット２２に溶着、接着、縫着、鋲着、ボタン掛けなどの何れかの方法を用いて着脱自在に連結される。
【００３２】
連結補助片２８aは、ボタン、フック、面ファスナー、紐、バンド、クリップ等の係止具を備えて、連結される素材と同じ素材で形成されるサポート部材で、敷設マット２０ならびに背当てマット２２に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００３３】
図１（b）は腹筋運動補助具１０の使用状態図を示す。
屈伸角度を浅くしたい場合は、背当てマット２２を腰部に近づかせ、屈伸角度を深くしたい場合は、背当てマット２２を腰部から離して使用する。
【００３４】
図１（ｃ）は腹筋運動補助具１０のその他の使用状態図を示す。
（イ）背筋伸ばし具
（ロ）脹脛・太腿筋膜はがし具
（ハ）上体そらし具
（ニ）睡眠枕
（ホ）抱き枕
（ヘ）足枕
（ト）腿筋膜はがし具
（チ）バランス鍛錬具
として腹筋運動補助具１０を多様に利用することができる。
【００３５】
以上で構成される本発明の腹筋運動補助具１０は、構成される部品が極めて少数な部品で構成されているため、持ち運びや収納が容易になると共に、購入単価が廉価である上、上半身の支えとなる背当てマット２２が、高い反発力を有する塩化ビニールマット２２a、または一定の反発力を有する円筒板マット２２b、または反発力を有しない充填マット２２cなどで構成されて、使用者の腹筋鍛錬度に合わせて背当てマット２２の種類を任意に選択して使用することができる。
【実施例２】
【００３６】
図２は、本発明における請求項２記載の腹筋運動補助具の実施形態を示す説明図である。
図２（a）は腹筋運動補助具１０の全体図を示す。
本発明における腹筋運動補助具１０は、床面に敷設される所定の大きさを有する敷設マット２０と、円筒状に成形されて反発力を有する背当てマット２２を収納する伸縮性を有する収納背当てバッグ２１を、連結手段２８を介して着脱自在に連結して形成される。
【００３７】
収納背当てバッグ２１は、伸縮性を有する生地で形成され、外周部に連結手段２８を介して敷設マット２０に着脱自在に連結することができる形状に形成されるもので、外周部の一端には背当てマット２２を収納することができるチャック開口部２７が設けられる。
【００３８】
連結手段２８は、ボタン、フック、面ファスナー、紐、バンド、クリップ等の係止具と、連結される素材と同じ素材で形成される連結補助片２８aと、で構成され、該連結補助片２８aを敷設マット２０ならびに収納背当てバッグ２１に溶着、接着、縫着、鋲着、ボタン掛けなどの何れかの方法を用いて着脱自在に連結される。
【００３９】
連結補助片２８aは、ボタン、フック、面ファスナー、紐、バンド、クリップ等の係止具を備えて、連結される素材と同じ素材で形成されるサポート部材で、敷設マット２０ならびに収納背当てバッグ２１に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００４０】
図２（b）は腹筋運動補助具１０の使用状態図を示す。
屈伸角度を浅くしたい場合は、背当てマット２２を腰部に近づかせ、屈伸角度を深くしたい場合は、背当てマット２２を腰部から離して使用する。
【００４１】
以上で構成される本発明の腹筋運動補助具１０は、収納背当てバッグ２１に高い反発力を有する塩化ビニールマット２２a、または一定の反発力を有する円筒板マット２２b、または反発力を有しない充填マット２２cなどで形成される背当てマット２２を使用者の腹筋運動の鍛錬具合に合わせて任意に選択して使用することができる。
【実施例３】
【００４２】
図３は、本発明における請求項３記載の腹筋運動補助具の実施形態を示す説明図である。
図３（a）は背当てマット２２を締め付け帯２４で襷掛けにした状態を示す。
図３（b）は収納背当てバッグ２１を締め付け帯２４で襷掛けにした状態を示す。
本発明の腹筋運動補助具１０は、円筒状に成形されて反発力を有する背当てマット２２または該背当てマット２２を収納する伸縮性を有する収納背当てバッグ２１と、所定の長さを有する締め付け帯２４を、連結手段２８を介して着脱自在に連結して形成される。
【００４３】
締め付け帯２４は、上半身を襷掛けならびに胴巻きを同時に可能とした所定の長さを有して背当てマット２２の両側側面に連結手段２８を介して着脱自在に設けられるもので、その途中には締め付け方向を変えるリングまたは帯通し２６が装着され、使用時は上半身を襷掛けならびに胴巻き状態にして両端が結ばれる帯または紐で形成される。
また、締め付け帯２４の途中と両端部には、長さ調整具ならびに連結バックルなどを装着することもできる。また胴巻きのみの長さ仕様にするなど多様な形状に変化させることができる。
【００４４】
連結手段２８は、ボタン、フック、面ファスナー、紐、バンド、クリップ等の係止具と、連結される素材と同じ素材で形成される連結補助片２８aと、で構成され、該連結補助片２８aを敷設マット２０、背当てマット２２に溶着、接着、縫着、鋲着、ボタン掛けなどの何れかの方法を用いて着脱自在に連結される。
【００４５】
連結補助片２８aは、ボタン、フック、面ファスナー、紐、バンド、クリップ等の係止具を備えて、連結される素材と同じ素材で形成されるサポート部材で、背当てマット２２、収納背当てバッグ２１ならびに締め付け帯２４に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００４６】
図３（ｃ）は背当てマット２２を締め付け帯２４で胴巻きにした状態を示す。
図３（ｄ）は収納背当てバッグ２１を締め付け帯２４で胴巻きにした状態を示す。
背当てマット２２を締め付け帯２４で胴巻きにすることによって、使用者の腰部に容易に腹筋運動補助具１０を装着することができる。また、構造が極めて簡易であることから、移動、収納、取り扱いが容易であると供に、従来の椅子型腹筋運動補助具と比較して軽量且つ安価な腹筋運動補助具１０の提供を可能とする。
【００４７】
図３（e）は腹筋運動補助具１０の使用状態図を示す。
屈伸角度を浅くしたい場合は、背当てマット２２を腰部の周りに位置させ、屈伸角度を深くしたい場合は、背当てマット２２を胸に近づかせて締め付け帯２４で締め付けて固定する。さらに、締め付け帯２４が胸部と胴部を同時に締め付けているので、腹筋運動時において腹筋運動補助具１０が身体からズレることがない。
【００４８】
以上で構成される本発明の腹筋運動補助具１０は、使用者の上半身を襷掛けならびに胴巻き状態にすることによって、腹筋運動の鍛錬具合に合わせて締め付け帯２４の締め付け位置を任意に設定することができる。
【実施例４】
【００４９】
図４は、本発明における請求項４記載の腹筋運動補助具の実施形態を示す説明図である。
図４（a）は腹筋運動補助具１０の全体図を示す。
図４（b）は使用時の背当てマット部２３を丸めた状態図を示す。
本発明の腹筋運動補助具１０は、床面に敷設される所定の大きさを有する敷設マット２０の一端２０aを丸め込み、該敷設マット２０の上面と下面の所定の位置に設けられる連結補助片２８aを有する係止手段２５同士を係止することで、敷設マット２０の一側方向に背当てマット部２３が形成される。
【００５０】
敷設マット２０は、床面に敷設される所定の大きさを有して形成され、その一端２０aを円筒状に丸め込むことによって、敷設マット２０の一側方向に背当てマット部２３を形成することができる。
【００５１】
背当てマット部２３は、所定の大きさを有する敷設マット２０の一端２０aを円筒状に丸め込んで、敷設マット２０の一側方向に形成される。
【００５２】
連結補助片２８aを有する係止手段２５は、ボタン、フック、面ファスナー、紐、バンド、クリップ等の係止具と、連結される素材と同じ素材で形成される連結補助片２８aで構成され、該連結補助片２８aを敷設マット２０ならびに背当てマット部２３に溶着、接着、縫着、鋲着、ボタン掛けなどの何れかの方法で連結することができることによって、連結される部品の外観形状を簡易なものとし、さらに製造原価のコストダウンを図ることができる。
【００５３】
図４（c）は腹筋運動補助具１０の使用状態図を示す。
屈伸角度を浅くしたい場合は、背当てマット部２３を腰部に近づかせ、屈伸角度を深くしたい場合は、背当てマット部２３を腰部から離して使用する。
【００５４】
以上で構成される本発明の腹筋運動補助具１０は、一枚のマットを筒状に丸め込んで敷設マット２０と背当てマット部２３を連結補助片２８aを有する係止手段同士を係止することで、敷設マット２０の一側方向に背当てマット部２３が形成されることによって、持ち運びと収納が容易であると共に、製造コストの低廉が図られる腹筋運動補助具１０の提供を可能にする。
【産業上の利用可能性】
【００５５】
本発明の腹筋運動補助具は、構成される部品が軽量且つ安価な部品で構成されているため、持ち運びや収納を容易にすると共に、購入単価が廉価である上、上半身の支えとなるマットが、高い反発力を有するバランスボール仕様の塩化ビニールマット、または一定の反発力を有する円筒板マットで構成されることによって、女性や体力のない人にとって反発力を利用して容易に腹筋運動ができると供に、上半身の支えとなる背当てマットを収納背当てバッグに収納することによって、市販の円筒状のマットに付帯加工を加えることなく流用することができることから、本発明における「腹筋運動補助具」の産業上の利用可能性は大とするものと解する。
【符号の説明】
【００５６】
１０  腹筋運動補助具
２０  敷設マット
２１  収納背当てバッグ
２２  背当てマット
２２a 塩化ビニールマット
２２b 円筒板マット
２２c 充填マット
２３  背当てマット部
２４  締め付け帯
２５  係止手段
２６  リングまたは帯通し
２７  チャック開口部
２８  連結手段
２８a 連結補助片
【図１】
2017038659.tif 000003
【図２】
2017038659.tif 000004
【図３】
2017038659.tif 000005
【図４】
2017038659.tif 000006
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
床面に敷設される所定の大きさを有する矩形の敷設マットと、腹筋運動を助長する反発力を有する円柱状または円筒状の背当てマットとが、係止具と連結補助片で構成される連結手段を介して着脱自在に連結されることを特徴とする腹筋運動補助具。
【請求項２】
床面に敷設される所定の大きさを有する矩形の敷設マットと、腹筋運動を助長する反発力を有する円柱状または円筒状の背当てマットが収納される伸縮性を有する背当て収納バッグとが、係止具と連結補助片で構成される連結手段を介して着脱自在に連結されることを特徴とする腹筋運動補助具。
【請求項３】
腹筋運動を助長する反発力を有する円柱状または円筒状の背当てマットまたは該背当てマットが収納される伸縮性を有する背当て収納バッグと、所定の長さを有する締め付け帯とが、係止具と連結補助片で構成される連結手段を介して着脱自在に連結されることを特徴とする腹筋運動補助具。
【請求項４】
床面に敷設される所定の大きさを有する矩形の敷設マットの短辺を長手方向に対して円筒状に丸め込むと共に、該敷設マットの上面と下面の所定の位置に設けられる係止具と係止補助片で構成される係止手段を介して係止することで、前記敷設マットの一側方向に背当てマット部が形成されることを特徴とする腹筋運動補助具。
【手続補正２】
【補正対象書類名】明細書
【補正対象項目名】全文
【補正方法】変更
【補正の内容】
【発明の詳細な説明】
【技術分野】
【０００１】
本発明は、腹筋運動をする際に身体の背筋部を支えると共に、反発力を利用して屈伸動作を容易にする腹筋運動補助具に関する。
【背景技術】
【０００２】
従来より、美容や健康を目的とする健康・ストレッチ器具や、背面に反発機能を有して運動能力や筋肉強化を目的とする筋力強化器具など多様な腹筋運動補助具が提案されている。
【０００３】
上記における腹筋運動補助具の提案としては、例えば、人体の腰部屈伸に対応して湾曲するように形成されたクッション本体と、クッション本体に内設されて往復運動を通じて震動形態で人体を按摩するように構成された按摩手段が設けられ、クッション本体後方下部一側に板形状で延長形成され、クッション本体前方下部一面に折帖可能になるように具備された折帖マットと、折帖マットがクッション本体下部面に折帖され固定されるようにクッション本体前方下部一面と前記折帖マットの底面一側に設けられた結合手段を含む「多用途クッション按摩器」（特許文献１参照）が提案され、公知技術となっている。
【０００４】
しかしながら、係る「多用途クッション按摩器」の提案は、按摩器内に振動モータやローラなどの電気構成部品や複雑なリンク構造部品が多数内蔵されていることによって、消費電力ならびに維持管理費を日常的に必要とすると供に、重量的に比較的重いことから持ち運びに不便であることや、複雑構造であることから収納が不便であったり、購入単価が高騰であるなどといった多くの問題点があると共に、クッション本体自体が、本願発明のように腹筋運動をする際に背当てマットの反発力を利用して屈伸動作を容易にする機能を有するものではなかった。
【０００５】
また、ゴムスポンジ又はプラスチックススポンジ製の略直方体の基材において、上面の一辺を面取りして傾斜部を形成し、且つ、該傾斜部の面取りした辺と平行に溝部を設けて座布団と成し、前記溝部に坐骨を載せ、且つ、前記傾斜部に大腿部を載せて坐骨を前傾せしめ、上体の前屈ストレッチ運動等においてストレッチ効果を高めたり、前記傾斜部上り方向に人体を向かせて腹部或いは大腿部を前記傾斜部に載せ、脚部を第三者に押さえてもらいながら上体起し腹筋・背筋部運動をしたり、前記傾斜部上り方向に人体を向かせて側腰部或いは側大腿部を前記傾斜部に載せ、脚部を第三者に押さえてもらいながら上体起し腹筋運動をしたり、前記傾斜部の上り方向に向かって前記傾斜部に腰部掛け、脚部を第三者に押さえてもらいながら上体起し腹筋・背筋部運動をしたり、前記傾斜部上り方向に人体を向いて前記傾斜部に膝をつかせ、脚部を第三者に押さえてもらいながら上体起し腹筋・背筋部運動をしたり、前記傾斜部の上り方向或いは下り方向に向かって立ち、スクワット運動したりすることにより、人体各部の筋力を強化でき、且つ、前記傾斜部の前記溝に坐骨を載せて、テレビ鑑賞などで、胡座姿勢における腰部痛を防止できることを特徴とする「多目的座布団」（特許文献２参照）が提案され、公知技術となっている。
【０００６】
しかしながら、係る「多目的座布団」の提案は、ゴムスポンジ又はプラスチックススポンジ製の略直方体が比較的低反発の基材で構成されていることによって、腹筋運動時においては自力で上半身を屈伸させなければならないことから、女性や体力のない人にとっては、腹筋運動時の身体の背筋部への負荷が大きくなると供に、機材が略直方体を形成していることによって、収納ならびに持ち運びを容易にするものではなく、さらに腹筋運動をする際に、ゴムスポンジ又はプラスチックススポンジ製の略直方体は、本願発明のように腹筋運動をする際に背当てマットの反発力を利用して屈伸動作を容易にする機能を有するものではなかった。
【０００７】
また、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐に多数の球状の指圧具を取り付け、紐の両端は連結部材を使用して着脱可能とした補助器具とから成り、紐の両端は連結部材で環状に連結して芯材の孔内に位置させるとともに指圧具は器具本体の外側に位置させたことを特徴とする「健康器具」（特許文献３参照）が提案され、公知技術となっている。
【０００８】
しかしながら、係る「健康器具」の提案は、器具本体が硬質性の芯材で形成され，その芯材を単に弾性を有する肉厚な指圧部材で覆っているに過ぎないことから、腹筋運動時においては自力で上半身を屈伸させなければならないことから、女性や体力のない人にとっては、腹筋運動時の身体の背筋部への負荷が大きくなるといった問題点があると共に、本願発明のように腹筋運動をする際に背当てマットの反発力を利用して屈伸動作を容易にするものではなかった。
【０００９】
本出願人は、上記における従来の腹筋運動補助具の問題点を解決するために、身体の背筋部を支える背当てマットに着目し、その背当てマットに高反発の復元機能を加えることで、女性や体力のない人の腹筋運動を容易に行うことができないものかとの着想の下、腹筋運動をする際に身体の背筋部を支えると共に、反発力を利用して屈伸動作を容易にする腹筋運動補助具を開発し、本発明における「腹筋運動補助具」の提案に至るものである。
【先行技術文献】
【特許文献】
【００１０】
【特許文献１】実用新案登録第３１６０２１７号公報
【特許文献２】特開２００９−１９５６７５号公報
【特許文献３】特許第４３２８９８３号公報
【発明の概要】
【発明が解決しようとする課題】
【００１１】
本発明は、上記問題点に鑑み、腹筋運動をする際に身体の背筋部を支えると共に、反発力を利用して屈伸動作を容易にする腹筋運動補助具の提供を図ることを目的とする。
【課題を解決するための手段】
【００１２】
本発明は、上記課題を解決するためになされたもので、本発明の腹筋運動補助具は、床面に敷設される所定の大きさを有する矩形の敷設マットと、腹筋運動を助長する反発力を有する円柱状または円筒状の背当てマットとが、係止具と連結補助片で構成される連結手段を介して着脱自在に連結される手段を採る。
【００１３】
また、本発明の腹筋運動補助具は、床面に敷設される所定の大きさを有する矩形の敷設マットと、腹筋運動を助長する反発力を有する円柱状または円筒状の背当てマットが収納される伸縮性を有する背当て収納バッグとが、係止具と連結補助片で構成される連結手段を介して着脱自在に連結される手段を採る。
【００１４】
また、本発明の腹筋運動補助具は、腹筋運動を助長する反発力を有する円柱状または円筒状の背当てマットまたは該背当てマットが収納される伸縮性を有する背当て収納バッグと、所定の長さを有する締め付け帯とが、係止具と連結補助片で構成される連結手段を介して着脱自在に連結される手段を採る。
【００１５】
また、本発明の腹筋運動補助具は、床面に敷設される所定の大きさを有する矩形の敷設マットの短辺を長手方向に対して円筒状に丸め込むと共に、該敷設マットの上面と下面の所定の位置に設けられる係止具と係止補助片で構成される係止手段を介して係止することで、前記敷設マットの一側方向に背当てマット部が形成される手段を採る。
【発明の効果】
【００１６】
本発明の腹筋運動補助具によれば、腹筋運動補助具を構成する部品が敷設マットならびに背当てマットによって軽量且つ安価な部品で構成されているため、持ち運びや収納を容易とすると共に、購入単価が廉価であるといった優れた効果を奏する。
【００１７】
また、本発明の腹筋運動補助具によれば、上半身の支えとなる背当てマットが、高い反発力を有する円柱状のバランスボール仕様の塩化ビニールマットや、一定の反発力を有する円筒状の樹脂板マットで構成されることによって、女性や体力のない人にとって高い反発力を利用して容易に腹筋運動ができるといった優れた効果を奏する。
【００１８】
また、本発明の腹筋運動補助具によれば、上半身の支えとなる背当てマットを背当て収納バッグに収納することができることによって、背当てマットの製造段階での複雑な付帯加工を加えることなく製造することができるといった優れた効果を奏する。
【００１９】
また、本発明の腹筋運動補助具によれば、背当て収納バッグの両端には上半身を襷掛けならびに胴巻きを同時に可能とした所定の長さを有する締め付け帯が連結されていることによって、腹筋運動をする際に、屈伸角度を浅くしたい場合は、締め付け帯を胴周りに固定し、屈伸角度を深くしたい場合は、締め付け帯を背中周りに固定して好みの屈伸角度に合わせて背当てマットの固定位置を自在に調整することができるといった優れた効果を奏する。
【００２０】
また、本発明の腹筋運動補助具によれば、敷設マットと背当てマットならびに締め付け帯を溶着、接着、縫着、鋲着、ボタン掛けなどの何れかの連結手段を介して連結することによって、製造段階における加工工程を単純化させて製造原価のコストダウンが図れるといった優れた効果を奏する。
【００２１】
また、本発明の腹筋運動補助具によれば、一枚の矩形の敷設マットの短辺を長手方向に対して円筒状に丸め込むことにより、その一側方向に背当てマット部が形成されることによって、持ち運びならびに準備作業が容易になると共に、製造コストの低廉が図られるといった優れた効果を奏する。
【図面の簡単な説明】
【００２２】
【図１】本発明における請求項１記載の腹筋運動補助具の実施形態を示す説明図である。（実施例１）
【図２】本発明における請求項２記載の腹筋運動補助具の実施形態を示す説明図である。（実施例２）
【図３】本発明における請求項３記載の腹筋運動補助具の実施形態を示す説明図である。（実施例３）
【図４】本発明における請求項４記載の腹筋運動補助具の実施形態を示す説明図である。（実施例４）
【発明を実施するための形態】
【００２３】
本発明は、腹筋運動をする際に身体の背筋部を支えると共に、反発力を利用して屈伸動作を容易にする腹筋運動補助具１０であって、該腹筋運動補助具１０は、床面に敷設される所定の大きさを有する矩形の敷設マット２０と、腹筋運動を助長する反発力を有する円柱状または円筒状の背当てマット２２とが、係止具２８bと連結補助片２８aで構成される連結手段２８を介して着脱自在に連結される手段を採ったことを最大の特徴とするもので、以下、実施例を図面に基づいて説明する。
【００２４】
尚、本発明の腹筋運動補助具１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２５】
図１は、本発明における請求項１記載の腹筋運動補助具の実施形態を示す説明図である。
図１（a）は腹筋運動補助具１０の全体図を示す。
本発明の腹筋運動補助具１０は、床面に敷設される所定の大きさを有する矩形の敷設マット２０と、腹筋運動を助長する反発力を有する円柱状または円筒状の背当てマット２２とが、係止具２８bと連結補助片２８aで構成される連結手段２８を介して着脱自在に連結されて形成される。
【００２６】
敷設マット２０は、所定の大きさを有する矩形の合成樹脂製または布製の敷マットをシート状またはカーペット状にして使用するもので、背当てマット２２に連結手段２８を介して使用者の尻部に敷かれることで、腹筋運動時において腹筋運動補助具１０が身体からズレることを防止する役割を果たす。
【００２７】
背当てマット２２は、腹筋運動を助長する高い反発力を有する所謂バランスボール仕様の円柱状の塩化ビニールマット２２aや、腹筋運動を助長する一定の反発力を有する円筒状の樹脂板マット２２bで構成されるものに加えて、比較的反発力を有しない部材で円柱状の充填マット２２cで構成することもできるもので、使用する人の背筋部または腰部に当接されて使用されると供に、使用者の腹筋鍛錬度に合わせて背当てマット２２の種類を任意に選択して使用することができる。
【００２８】
塩化ビニールマット２２aは、一般に市販されている腹筋運動を助長する高い反発力を有する円柱状の塩化ビニール製のエアマットであって、所謂円筒状のバランスボール仕様で製造されているもので、女性や体力のない人でもその高い反発力を利用して容易に腹筋運動ができる。
【００２９】
樹脂板マット２２bは、腹筋運動を助長する一定の反発力を有する円筒状の樹脂製板マットであって、素材が持つ反発力を利用して女性や体力のない人でも容易に腹筋運動ができる。さらに、スリットや連通穴などを設けて反発力を増す形状に加工することもできる。
【００３０】
充填マット２２cは、比較的反発力を有しない円柱状の緩衝材入りマットであって、綿、布、緩衝素材、発砲樹脂、空気バッグなどの軽量・中空部材で形成される。前述の高反発のバランスボール仕様の塩化ビニールマット２２aに対して比較的反発力を有しない低反発の部材を使用していることによって、腹筋運動時は背筋部に対する負荷は増大するが、その分、背筋部をより強固に鍛えることができる。尚、本発明の充填マット２２cは、腹筋運動補助具１０のオプション品として備えられるものである。
【００３１】
連結手段２８は、ボタン、フック、面ファスナー、紐、バンド、クリップ等の係止具２８bと、連結される素材と同じ素材で形成される連結補助片２８aと、で構成され、該連結補助片２８aを敷設マット２０ならびに背当て収納バッグ２１や、背当てマット２２に溶着、接着、縫着、鋲着、ボタン掛けなどの何れかの方法を用いて着脱自在に連結される。
【００３２】
連結補助片２８aは、ボタン、フック、面ファスナー、紐、バンド、クリップ等の係止具２８bを備えて、連結される素材と同じ素材で形成されるサポート部材で、敷設マット２０ならびに背当て収納バッグ２１や、背当てマット２２に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００３３】
図１（b）は腹筋運動補助具１０の使用状態図を示す。
屈伸角度を浅くしたい場合は、背当てマット２２を腰部に近づかせ、屈伸角度を深くしたい場合は、背当てマット２２を腰部から離して使用する。
【００３４】
図１（ｃ）は腹筋運動補助具１０のその他の使用例を示す。
（イ）背筋伸ばし具
（ロ）脹脛・太腿筋膜はがし具
（ハ）上体そらし具
（ニ）睡眠枕
（ホ）抱き枕
（ヘ）足枕
（ト）腿筋膜はがし具
（チ）バランス鍛錬具
として腹筋運動補助具１０を多様に利用することができる。
【００３５】
以上で構成される本発明の腹筋運動補助具１０は、構成される部品が極めて少数な部品で構成されているため、持ち運びや収納が容易になると共に購入単価が廉価である上、上半身の支えとなる背当てマット２２が、腹筋運動を助長する高い反発力を有する所謂バランスボール仕様の円柱状の塩化ビニールマット２２aや、腹筋運動を助長する一定の反発力を有する円筒状の樹脂板マット２２bで構成されるものに加えて、比較的反発力を有しない円柱状の充填マット２２cで構成することもできるもので、使用する人の背筋部または腰部に当接されて使用されると供に、使用者の腹筋鍛錬度に合わせて背当てマット２２の種類を任意に選択して使用することができる。
【実施例２】
【００３６】
図２は、本発明における請求項２記載の腹筋運動補助具の実施形態を示す説明図である。
図２（a）は腹筋運動補助具１０の全体図を示す。
本発明における腹筋運動補助具１０は、床面に敷設される所定の大きさを有する矩形の敷設マット２０と、腹筋運動を助長する反発力を有する円柱状または円筒状の背当てマット２２が収納される伸縮性を有する背当て収納バッグ２１とが、係止具２８bと連結補助片２８aで構成される連結手段２８を介して着脱自在に連結されて形成される。
【００３７】
背当て収納バッグ２１は、背当てマット２２が収納される伸縮性を有する生地で形成され、外周部に連結手段２８を介して矩形の敷設マット２０に着脱自在に連結することができる形状に形成されるのもので、外周部の一端には背当てマット２２を収納することができるチャック開口部２７が設けられる。
【００３８】
連結手段２８は、ボタン、フック、面ファスナー、紐、バンド、クリップ等の係止具２８bと、連結される素材と同じ素材で形成される連結補助片２８aと、で構成され、該連結補助片２８aを敷設マット２０ならびに背当て収納バッグ２１に溶着、接着、縫着、鋲着、ボタン掛けなどの何れかの方法を用いて着脱自在に連結される。
【００３９】
連結補助片２８aは、ボタン、フック、面ファスナー、紐、バンド、クリップ等の係止具２８bを備えて、連結される素材と同じ素材で形成されるサポート部材で、敷設マット２０ならびに背当て収納バッグ２１に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００４０】
図２（b）は腹筋運動補助具１０の使用状態図を示す。
屈伸角度を浅くしたい場合は、背当てマット２２を腰部に近づかせ、屈伸角度を深くしたい場合は、背当てマット２２を腰部から離して使用する。
【００４１】
以上で構成される本発明の腹筋運動補助具１０は、腹筋運動を助長する高い反発力を有する所謂バランスボール仕様の円柱状の塩化ビニールマット２２aや、腹筋運動を助長する一定の反発力を有する円筒状の樹脂板マット２２bで構成されるものに加えて、比較的反発力を有しない円柱状の充填マット２２cで構成することもできるもので、使用する人の背筋部または腰部に当接されて使用されると供に、使用者の腹筋鍛錬度に合わせて背当てマット２２の種類を任意に選択して使用することができる。
【実施例３】
【００４２】
図３は、本発明における請求項３記載の腹筋運動補助具の実施形態を示す説明図である。
図３（a）は背当てマット２２を締め付け帯２４で襷掛けにした状態を示す。
図３（b）は背当て収納バッグ２１を締め付け帯２４で襷掛けにした状態を示す。
本発明の腹筋運動補助具１０は、腹筋運動を助長する反発力を有する円柱状または円筒状の背当てマット２２または該背当てマット２２が収納される伸縮性を有する背当て収納バッグ２１と、所定の長さを有する締め付け帯２４とが、係止具２８bと連結補助片２８aで構成される連結手段を介して着脱自在に連結されて形成される。
【００４３】
締め付け帯２４は、上半身を襷掛けならびに胴巻きを同時に可能とした所定の長さを有して背当てマット２２の両側側面に連結手段２８を介して着脱自在に設けられるもので、その途中には締め付け方向を変えるリングまたは帯通し２６が装着され、使用時は上半身を襷掛けならびに胴巻き状態にして両端が結ばれる帯または紐で形成される。
また、締め付け帯２４の途中と両端部には、長さ調整具ならびに連結バックルなどを装着することもできる。また胴巻きのみの長さ仕様にするなど多様な形状に変化させることができる。
【００４４】
連結手段２８は、ボタン、フック、面ファスナー、紐、バンド、クリップ等の係止具２８bと、連結される素材と同じ素材で形成される連結補助片２８aと、で構成され、該連結補助片２８aを敷設マット２０、背当て収納バッグ２１や、背当てマット２２に溶着、接着、縫着、鋲着、ボタン掛けなどの何れかの方法を用いて着脱自在に連結される。
【００４５】
連結補助片２８aは、ボタン、フック、面ファスナー、紐、バンド、クリップ等の係止具を備えて、連結される素材と同じ素材で形成されるサポート部材で、背当てマット２２、背当て収納バッグ２１ならびに締め付け帯２４に溶着、接着、縫着、鋲着、ボタン掛けなどの何れかの方法を用いて着脱自在に連結されることによって、連結される部品の外観形状を簡易なものとし、さらに製造原価のコストダウンを図ることができる。
【００４６】
図３（ｃ）は背当てマット２２を締め付け帯２４で胴巻きにした状態を示す。
図３（ｄ）は背当て収納バッグ２１を締め付け帯２４で胴巻きにした状態を示す。
背当てマット２２を締め付け帯２４で胴巻きにすることによって、使用者の腰部に容易に腹筋運動補助具１０を装着することができる。また、構造が極めて簡易であることから、移動、収納、取り扱いが容易であると供に、従来の椅子型腹筋運動補助具と比較して軽量且つ安価な腹筋運動補助具１０の提供を可能とする。
【００４７】
図３（e）は腹筋運動補助具１０の使用状態図を示す。
屈伸角度を浅くしたい場合は、背当てマット２２を腰部の周りに位置させ、屈伸角度を深くしたい場合は、背当てマット２２を胸に近づかせて締め付け帯２４で締め付けて固定する。さらに、締め付け帯２４が胸部と胴部を同時に締め付けているので、腹筋運動時において腹筋運動補助具１０が身体からズレることがない。
【００４８】
以上で構成される本発明の腹筋運動補助具１０は、使用者の上半身を襷掛けならびに胴巻き状態にすることによって、腹筋運動の鍛錬具合に合わせて締め付け帯２４の締め付け位置を任意に設定することができる。
【実施例４】
【００４９】
図４は、本発明における請求項４記載の腹筋運動補助具の実施形態を示す説明図である。
図４（a）は腹筋運動補助具１０の全体図を示す。
図４（b）は使用時の背当てマット部２３を筒状に丸めた状態図を示す。
本発明の腹筋運動補助具１０は、床面に敷設される所定の大きさを有する矩形の敷設マット２０の短辺２０aを長手方向に対して円筒状に丸め込むと共に、該敷設マット２０の上面と下面の所定の位置に設けられる係止具２８bと係止補助片２８cで構成される係止手段２５を介して係止することで、矩形の敷設マット２０の一側方向に背当てマット部２３が形成される。
【００５０】
敷設マット２０は、床面に敷設される所定の大きさを有して矩形状に形成され、その短辺２０aを長手方向に対して円筒状に丸め込むことによって、矩形の敷設マット２０の一側方向に背当てマット部２３を形成することができる。
【００５１】
背当てマット部２３は、所定の大きさを有する矩形の敷設マット２０の短辺２０aを長手方向に対して円筒状に丸め込んで、矩形の敷設マット２０の一側方向に形成される。
【００５２】
係止手段２５は、ボタン、フック、面ファスナー、紐、バンド、クリップ等の係止具２８bと、連結される素材と同じ素材で形成される係止補助片２８cで構成され、該係止補助片２８cを敷設マット２０ならびに背当てマット部２３に溶着、接着、縫着、鋲着、ボタン掛けなどの何れかの方法で連結することができることによって、連結される部品の外観形状を簡易なものとし、さらに製造原価のコストダウンを図ることができる。
【００５３】
図４（c）は腹筋運動補助具１０の使用状態図を示す。
屈伸角度を浅くしたい場合は、背当てマット部２３を腰部に近づかせ、屈伸角度を深くしたい場合は、背当てマット部２３を腰部から離して使用する。
【００５４】
以上で構成される本発明の腹筋運動補助具１０は、一枚の矩形状のマットの短辺２０aを長手方向に対して円筒状に丸め込んで敷設マット２０と背当てマット部２３を係止具２８bと、係止補助片２８cで構成される係止手段２５を介して係止することで、矩形の敷設マット２０の一側方向に背当てマット部２３が形成されることによって、持ち運びと収納が容易であると共に、製造コストの低廉が図られる腹筋運動補助具１０の提供を可能にする。
【産業上の利用可能性】
【００５５】
本発明の腹筋運動補助具は、構成される部品が軽量且つ安価な部品で構成されているため、持ち運びや収納を容易にすると共に、購入単価が廉価である上、上半身の支えとなるマットが、高い反発力を有するバランスボール仕様の塩化ビニールマット、または一定の反発力を有する樹脂板マットで構成されることによって、女性や体力のない人にとって反発力を利用して容易に腹筋運動ができると供に、上半身の支えとなる背当てマットを背当て収納バッグに収納することができることによって、市販の円筒状のマットに付帯加工を加えることなく流用することができることから、本発明における「腹筋運動補助具」の産業上の利用可能性は大とするものと解する。
【符号の説明】
【００５６】
１０  腹筋運動補助具
２０  敷設マット
２０a 短辺
２１  背当て収納バッグ
２２  背当てマット
２２a 塩化ビニールマット
２２b 樹脂板マット
２２c 充填マット
２３  背当てマット部
２４  締め付け帯
２５  係止手段
２６  リングまたは帯通し
２７  チャック開口部
２８  連結手段
２８a 連結補助片
２８b 係止具
２８c 係止補助片
【手続補正４】
【補正対象書類名】図面
【補正対象項目名】全図
【補正方法】変更
【補正の内容】
【図１】
2017038659.tif 000007
【図２】
2017038659.tif 000008
【図３】
2017038659.tif 000009
【図４】
2017038659.tif 000010
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
床面に敷設される所定の大きさを有する矩形の敷設マットと、腹筋運動を助長する反発力を有する円柱状の背当てマットと、該背当てマットが収納される伸縮性を有する背当て収納バッグと、で構成され、前記敷設マットと、前記背当て収納バッグと、が、連結手段を介して着脱自在に連結されていることを特徴とする腹筋運動補助具。
【請求項２】
腹筋運動を助長する反発力を有する円柱状の背当てマットと、該背当てマットが収納される伸縮性を有する背当て収納バッグと、所定の長さを有する締め付け帯と、で構成され、前記締め付け帯が、前記背当て収納バッグの両側面に連結手段を介して着脱自在に連結されていることを特徴とする腹筋運動補助具。
【手続補正２】
【補正対象書類名】明細書
【補正対象項目名】全文
【補正方法】変更
【補正の内容】
【発明の詳細な説明】
【技術分野】
【０００１】
本発明は、腹筋運動をする際に身体の背筋部を支えると共に位置ずれを防止し、さらに塩化ビニール製の高い反発力を利用して屈伸動作を助長する腹筋運動補助具に関する。
【背景技術】
【０００２】
従来より、美容や健康を目的とする健康・ストレッチ器具や、背面に反発機能を有して運動能力や筋肉強化を目的とする筋力強化器具など多様な腹筋運動補助具が提案されている。
【０００３】
上記における腹筋運動補助具の提案としては、例えば、人体の腰部屈伸に対応して湾曲するように形成されたクッション本体と、クッション本体に内設されて往復運動を通じて震動形態で人体を按摩するように構成された按摩手段が設けられ、クッション本体後方下部一側に板形状で延長形成され、クッション本体前方下部一面に折帖可能になるように具備された折帖マットと、折帖マットがクッション本体下部面に折帖され固定されるようにクッション本体前方下部一面と前記折帖マットの底面一側に設けられた結合手段を含む「多用途クッション按摩器」（特許文献１参照）が提案され、公知技術となっている。
【０００４】
しかしながら、係る「多用途クッション按摩器」の提案は、按摩器内に振動モータやローラなどの電気構成部品や複雑なリンク構造部品が多数内蔵されていることによって、消費電力ならびに維持管理費を日常的に必要とすると供に、重量的に比較的重いことから持ち運びに不便であることや、複雑構造であることから収納が不便であったり、購入単価が高騰であるなどといった多くの問題点があると共に、クッション本体自体が、本願発明のように腹筋運動をする際に背当てマットの高い反発力を利用して屈伸動作を容易にする機能を有するものではなかった。
【０００５】
また、ゴムスポンジ又はプラスチックススポンジ製の略直方体の基材において、上面の一辺を面取りして傾斜部を形成し、且つ、該傾斜部の面取りした辺と平行に溝部を設けて座布団と成し、前記溝部に坐骨を載せ、且つ、前記傾斜部に大腿部を載せて坐骨を前傾せしめ、上体の前屈ストレッチ運動等においてストレッチ効果を高めたり、前記傾斜部上り方向に人体を向かせて腹部或いは大腿部を前記傾斜部に載せ、脚部を第三者に押さえてもらいながら上体起し腹筋・背筋部運動をしたり、前記傾斜部上り方向に人体を向かせて側腰部或いは側大腿部を前記傾斜部に載せ、脚部を第三者に押さえてもらいながら上体起し腹筋運動をしたり、前記傾斜部の上り方向に向かって前記傾斜部に腰部掛け、脚部を第三者に押さえてもらいながら上体起し腹筋・背筋部運動をしたり、前記傾斜部上り方向に人体を向いて前記傾斜部に膝をつかせ、脚部を第三者に押さえてもらいながら上体起し腹筋・背筋部運動をしたり、前記傾斜部の上り方向或いは下り方向に向かって立ち、スクワット運動したりすることにより、人体各部の筋力を強化でき、且つ、前記傾斜部の前記溝に坐骨を載せて、テレビ鑑賞などで、胡座姿勢における腰部痛を防止できることを特徴とする「多目的座布団」（特許文献２参照）が提案され、公知技術となっている。
【０００６】
しかしながら、係る「多目的座布団」の提案は、ゴムスポンジ又はプラスチックススポンジ製の略直方体が比較的低反発の基材で構成されていることによって、腹筋運動時においては自力で上半身を屈伸させなければならないことから、女性や体力のない人にとっては、腹筋運動時の身体の背筋部への負荷が大きくなると供に、機材が略直方体を形成していることによって、収納ならびに持ち運びを容易にするものではなく、さらに腹筋運動をする際に、ゴムスポンジ又はプラスチックススポンジ製の略直方体は、本願発明のように腹筋運動をする際に身体の背筋部を支えると共に位置ずれを防止し、さらに高い反発力を利用して屈伸動作を助長する機能を有するものではなかった。
【０００７】
また、硬質性を有し、中央に貫通した孔を有する円筒状芯材を弾性を有する肉厚な指圧部材で同心状に覆い、芯材の端面から指圧部材の表面を装飾材で被覆した筒状体である器具本体と、適度の伸縮性を有する材質からなる丈夫な紐に多数の球状の指圧具を取り付け、紐の両端は連結部材を使用して着脱可能とした補助器具とから成り、紐の両端は連結部材で環状に連結して芯材の孔内に位置させるとともに指圧具は器具本体の外側に位置させたことを特徴とする「健康器具」（特許文献３参照）が提案され、公知技術となっている。
【０００８】
しかしながら、係る「健康器具」の提案は、器具本体が硬質性の芯材で形成され，その芯材を単に弾性を有する肉厚な指圧部材で覆っているに過ぎないことから、腹筋運動時においては自力で上半身を屈伸させなければならないことから、女性や体力のない人にとっては、腹筋運動時の身体の背筋部への負荷が大きくなるといった問題点があると共に、本願発明のように腹筋運動をする際に身体の背筋部を支えると共に位置ずれを防止し、さらに高い反発力を利用して屈伸動作を助長する機能を有するものではなかった。
【０００９】
本出願人は、上記における従来の腹筋運動補助具の問題点を解決するために、身体の背筋部を支える背当てマットに着目し、その背当てマットに高反発の復元機能を加えることで、女性や体力のない人の腹筋運動を容易に行うことができないものかとの着想の下、腹筋運動をする際に身体の背筋部を支えると共に位置ずれを防止し、さらに塩化ビニール製の高い反発力を利用して屈伸動作を助長する腹筋運動補助具を開発し、本発明における「腹筋運動補助具」の提案に至るものである。
【先行技術文献】
【特許文献】
【００１０】
【特許文献１】実用新案登録第３１６０２１７号公報
【特許文献２】特開２００９−１９５６７５号公報
【特許文献３】特許第４３２８９８３号公報
【発明の概要】
【発明が解決しようとする課題】
【００１１】
本発明は、上記問題点に鑑み、腹筋運動をする際に身体の背筋部を支えると共に位置ずれを防止し、さらに塩化ビニール製の高い反発力を利用して屈伸動作を助長する腹筋運動補助具の提供を図ることを目的とする。
【課題を解決するための手段】
【００１２】
本発明は、上記課題を解決するためになされるもので、本発明の腹筋運動補助具は、床面に敷設される所定の大きさを有する矩形の敷設マットと、腹筋運動を助長する反発力を有する円柱状の背当てマットと、該背当てマットが収納される伸縮性を有する背当て収納バッグと、で構成され、前記敷設マットと、前記背当て収納バッグと、が、連結手段を介して着脱自在に連結されている手段を採る。
【００１３】
また、本発明の腹筋運動補助具は、腹筋運動を助長する反発力を有する円柱状の背当てマットと、該背当てマットが収納される伸縮性を有する背当て収納バッグと、所定の長さを有する締め付け帯と、で構成され、前記締め付け帯が、前記背当て収納バッグの両側面に連結手段を介して着脱自在に連結されている手段を採る。
【発明の効果】
【００１４】
本発明の腹筋運動補助具によれば、腹筋運動補助具を構成する部品が、軽量且つ安価な部品で構成されているため、持ち運びや収納を容易とすると共に、購入単価が廉価であるといった優れた効果を奏する。
【００１５】
また、本発明の腹筋運動補助具によれば、上半身の支えとなる背当てマットが、高い反発力を有する円柱状のバランスボール仕様の塩化ビニール製のエアマットで構成されることによって、女性や体力のない人にとって高い反発力を利用して容易に腹筋運動ができるといった優れた効果を奏する。
【００１６】
また、本発明の腹筋運動補助具によれば、上半身の支えとなる背当てマットを背当て収納バッグに収納することができることによって、背当てマットの製造段階での複雑な付帯加工を加えることなく製造することができるといった優れた効果を奏する。
【００１７】
また、本発明の腹筋運動補助具によれば、背当て収納バッグの両端には上半身を襷掛けならびに胴巻きを同時に可能とした所定の長さを有する締め付け帯が連結されていることによって、腹筋運動をする際に、屈伸角度を浅くしたい場合は、締め付け帯を胴周りに固定し、屈伸角度を深くしたい場合は、締め付け帯を背中周りに固定して好みの屈伸角度に合わせて背当てマットの固定位置を自在に調整することができるといった優れた効果を奏する。
【００１８】
また、本発明の腹筋運動補助具によれば、敷設マットと背当て収納バッグならびに締め付け帯を溶着、接着、縫着、鋲着、ボタン掛けなどの何れかの連結手段を介して連結することによって、製造段階における加工工程を単純化させて製造原価のコストダウンが図れるといった優れた効果を奏する。
【図面の簡単な説明】
【００１９】
【図１】本発明における請求項１記載の腹筋運動補助具の実施形態を示す説明図である。（実施例１）
【図２】本発明における請求項２記載の腹筋運動補助具の実施形態を示す説明図である。（実施例２）
【発明を実施するための形態】
【００２０】
本発明の腹筋運動補助具１０は、床面に敷設される所定の大きさを有する矩形の敷設マット２０と、腹筋運動を助長する反発力を有する円柱状の背当てマット２２と、該背当てマット２２が収納される伸縮性を有する背当て収納バッグ２１と、で構成して、腹筋運動をする際に身体の背筋部を支えると共に位置ずれを防止し、さらに塩化ビニール製の高い反発力を利用して屈伸動作を助長する手段を採ったことを最大の特徴とするもので、以下、実施例を図面に基づいて説明する。
【００２１】
尚、本発明の腹筋運動補助具１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２２】
図１は、本発明における請求項１記載の腹筋運動補助具の実施形態を示す説明図である。
図１（a）は腹筋運動補助具１０の全体図を示す。
本発明の腹筋運動補助具１０は、床面に敷設される所定の大きさを有する矩形の敷設マット２０と、腹筋運動を助長する反発力を有する円柱状の背当てマット２２と、該背当てマット２２が収納される伸縮性を有する背当て収納バッグ２１と、で構成され、敷設マット２０と、背当て収納バッグ２１が、連結手段２８を介して着脱自在に連結されて成る。
【００２３】
敷設マット２０は、所定の大きさを有する矩形の合成樹脂製または布製の敷マットをシート状またはカーペット状にして使用するもので、背当て収納バッグ２１に連結手段２８を介して使用者の尻部に敷かれることで、腹筋運動時において腹筋運動補助具１０が身体からズレることを防止する役割を果たす。
【００２４】
背当て収納バッグ２１は、反発力を有する背当てマット２２が収納される伸縮性を有する生地で形成され、外周部に連結手段２８を介して矩形の敷設マット２０に着脱自在に連結することができる形状に形成されるのもので、外周部の一側端には背当てマット２２を収納することができるチャック開口部２７が設けられる。
【００２５】
背当てマット２２は、腹筋運動を助長する高い反発力を有する所謂バランスボール仕様の円柱状のエアマットで形成される塩化ビニールで構成されるもので、背当て収納バッグ２１に収められて使用する人の背筋部または腰部に当接されて使用される。
【００２６】
また背当てマット２２は、一般に市販されている腹筋運動を助長する高い反発力を有する円柱状の塩化ビニール製のエアマットであって、所謂円柱状のバランスボール仕様で製造されているもので、女性や体力のない人でもその高い反発力を利用して屈伸運動を助長することができる。また、腹筋運動を助長する高い反発力を有する樹脂製のエアマットであれば、他の素材で形成されるエアマットを使用することも可能である。
【００２７】
連結手段２８は、ボタン、フック、紐、バンド、クリップ等の係止具２８aが使用されるもので、該係止具２８aは、敷設マット２０ならびに背当て収納バッグ２１に溶着、接着、縫着、鋲着、ボタン掛けなどの何れかの方法を用いて着脱自在に連結される。
【００２８】
図１（b）は腹筋運動補助具１０の使用状態図を示す。
屈伸角度を浅くしたい場合は、背当てマット２２が収納されている背当て収納バッグ２１を腰部に近づかせ、屈伸角度を深くしたい場合は、背当てマット２２が収納されている背当て収納バッグ２１を腰部から離して使用する。
【００２９】
図１（ｃ）は背当てマット２２を背当て収納バッグ２１から取り出して単体で使用する実施例を示す。
（イ）背筋伸ばし具
（ロ）脹脛・太腿筋膜はがし具
（ハ）上体そらし具
（ニ）睡眠枕
（ホ）抱き枕
（ヘ）足枕
（ト）腿筋膜はがし具
（チ）バランス鍛錬具
として腹筋運動補助具１０を多様に利用することができる。
【００３０】
以上で構成される本発明の腹筋運動補助具１０は、構成される部品が極めて少数な部品で構成されているため、持ち運びや収納が容易になると共に購入単価が廉価である上、上半身の支えとなる背当てマット２２が、腹筋運動を助長する高い反発力を有する所謂バランスボール仕様の円柱状の塩化ビニール製のエアマットで構成されるもので、使用する人の背筋部または腰部に当接されて使用されると供に、使用者の腹筋鍛錬度に合わせて背当て収納バッグ２１の位置をずらして使用することができる。
【実施例２】
【００３１】
図２は、本発明における請求項２記載の腹筋運動補助具の実施形態を示す説明図である。
図２（a）は背当て収納バッグ２１を締め付け帯２４で襷掛けにした状態を示す。
本発明の腹筋運動補助具１０は、腹筋運動を助長する反発力を有する円柱状の背当てマット２２と、該背当てマット２２が収納される伸縮性を有する背当て収納バッグ２１と、所定の長さを有する締め付け帯２４と、で構成され、該締め付け帯２４が、背当て収納バッグ２１の両側面に連結手段２８を介して着脱自在に連結されている手段を採る。
【００３２】
締め付け帯２４は、上半身を襷掛けならびに胴巻きを同時に可能とした所定の長さを有して背当て収納バッグ２１の両側面に連結手段２８を介して着脱自在に設けられるもので、その途中には締め付け方向を変えるリングまたは帯通し２６が装着され、使用時は上半身を襷掛けならびに胴巻き状態にして両端が結ばれる帯または紐で形成される。
また、締め付け帯２４の途中と両端部には、長さ調整具ならびに連結バックルなどを装着することもできる。さらに胴巻きのみの長さ仕様にするなど多様な形状に変化させることができる。
【００３３】
連結手段２８は、ボタン、フック、紐、バンド、クリップ等の係止具２８aが使用されるもので、該係止具２８aは、敷設マット２０ならびに背当て収納バッグ２１に溶着、接着、縫着、鋲着、ボタン掛けなどの何れかの方法を用いて着脱自在に連結される。
【００３４】
図２（b）は当て収納バッグ２１を締め付け帯２４で胴巻きにした状態を示す。
背当て収納バッグ２１を締め付け帯２４で胴巻きにすることによって、使用者の腰部に容易に腹筋運動補助具１０を装着することができる。また、構造が極めて簡易であることから、移動、収納、取り扱いが容易であると供に、従来の椅子型腹筋運動補助具と比較して軽量且つ安価な腹筋運動補助具１０の提供を可能とする。
【００３５】
図２（ｃ）は腹筋運動補助具１０の使用状態図を示す。
屈伸角度を浅くしたい場合は、背当て収納バッグ２１を腰部の周りに位置させ、屈伸角度を深くしたい場合は、背当て収納バッグ２１を胸に近づかせて締め付け帯２４で締め付けて固定する。さらに、締め付け帯２４が胸部と胴部を同時に締め付けているので、腹筋運動時において腹筋運動補助具１０が身体からズレることがない。
【００３６】
以上で構成される本発明の腹筋運動補助具１０は、使用者の上半身を襷掛けならびに胴巻き状態にすることによって、腹筋運動の鍛錬具合に合わせて締め付け帯２４の締め付け位置を任意に設定することができる。
【産業上の利用可能性】
【００３７】
本発明の腹筋運動補助具は、構成される部品が軽量且つ安価な部品で構成されているため、持ち運びや収納を容易にすると共に、購入単価が廉価である上、上半身の支えとなるマットが、高い反発力を有するバランスボール仕様の塩化ビニール製のエアマットで構成されることによって、女性や体力のない人にとって高い反発力を利用して容易に腹筋運動ができると供に、上半身の支えとなる背当てマットを背当て収納バッグに収納することができることによって、市販の円筒状のエアマットに付帯加工を加えることなく流用することができることから、本発明における「腹筋運動補助具」の産業上の利用可能性は大とするものと解する。
【符号の説明】
【００３８】
１０  腹筋運動補助具
２０  敷設マット
２１  背当て収納バッグ
２２  背当てマット
２４  締め付け帯
２５  係止手段
２６  リングまたは帯通し
２７  チャック開口部
２８  連結手段
２８a係止具
【手続補正４】
【補正対象書類名】図面
【補正対象項目名】全図
【補正方法】変更
【補正の内容】
【図１】
2017038659.tif 000011
【図２】
2017038659.tif 000012